(57)【要約】【課題】  包装箱において、破れにくく、手指に与える痛みを軽減できる手掛け穴を形成すること。【解決手段】  手掛け穴形成部１００が設けられている包装箱１０であって、左右のサポート片１２０のそれぞれが左右両側の折曲げ可能部１０４Ｌ、１０４Ｒのそれぞれに沿って折曲げられ、手掛け片予定部１１１が中央折曲げ可能部１０３に沿って折曲げられて手掛け片１１０が形成されたとき、左右のサポート片１２０が側板１７の内側面に当接可能にされ、左右のサポート片１２０及び手掛け片予定部１１１の折曲げによって形成された空所が手掛け穴Ｈとされるもの。【選択図】  図４
2019116285.tif 000002
【特許請求の範囲】
【請求項１】
少なくとも一対の互いに対向する側板と、それらの側板の各上端に交差する天面板とを有し、それらの側板に手掛け穴形成部が設けられている包装箱であって、
手掛け穴形成部が、
手掛け片として用いることが予定される手掛け片予定部の左右両側にて、左右のサポート片のそれぞれを囲み形成する左右両側の切目線と、
左右両側の切目線の天面板から遠い側の端部同士をつなぎ、手掛け片予定部の外縁部を形成する中央切離可能部とを有し、
左右両側の切目線の天面板に近い側の端部の間が折曲げ可能な中央折曲げ可能部とされ、
左側切目線の天面板から遠い側の端部と天面板に近い側の端部との間が折曲げ可能な左側の折曲げ可能部とされ、
右側切目線の天面板から遠い側の端部と天面板に近い側の端部との間が折曲げ可能な右側の折曲げ可能部とされており、
左右のサポート片のそれぞれが左右両側の折曲げ可能部のそれぞれに沿って折曲げられ、手掛け片予定部が中央折曲げ可能部に沿って折曲げられて手掛け片が形成されたとき、左右のサポート片が側板の内側面に当接可能にされ、左右のサポート片及び手掛け片予定部の折曲げによって形成された空所が手掛け穴とされる包装箱。
【請求項２】
前記左右のサポート片が側板の内側面に当接可能にされるとともに、天面板の内側面にも当接可能にされる請求項１に記載の包装箱。
【請求項３】
前記左右両側の切目線がミシン目線からなる請求項１又は２に記載の包装箱。
【請求項４】
前記中央切離可能部がミシン目線からなる請求項１乃至３のいずれかに記載の包装箱。
【請求項５】
前記左右のサポート片を構成する段ボール紙の段目が、天面板の板面に沿う方向に設定される請求項１乃至４のいずれかに記載の包装箱。
【発明の詳細な説明】
【技術分野】
【０００１】
本発明は包装箱に関する。
【背景技術】
【０００２】
従来の包装箱として、特許文献１に記載の如く、少なくとも一対の互いに対向する側板と、それらの側板の各上端に交差する天面板とを有し、それらの側板に、折曲げ予定線と第１切込み線とを含む手掛け穴形成部を設けているものがある。使用者が手掛け穴形成部を包装箱の内部に向けて押込むと、第１切込み線において側板の本体から分離される折曲げ片が、折曲げ予定線で舌片状に折れ曲がって包装箱の内側に入り込み、手掛け穴が形成される。
【０００３】
特許文献１に記載の包装箱は、更に、手掛け穴形成部と天面板との間に第２切込み線を設けている。これにより、手掛け穴形成部を包装箱の内部に向けて押込むことで手掛け穴が形成された後、大きな持上げ荷重が手掛け穴に加えられることにより、手掛け穴の上端の左右から包装箱の上縁に向って破れ、当初の手掛け穴が上方に拡大された二次手掛け穴に代わっても、破れ目の伸展を第２切込み線と破れ目とが出会う邂逅位置で止めることができる。
【先行技術文献】
【特許文献】
【０００４】
【特許文献１】特開2013-241216号公報
【発明の概要】
【発明が解決しようとする課題】
【０００５】
特許文献１に記載の包装箱には以下の問題点がある。
(1)手掛け穴形成部を押込んで形成される当初の手掛け穴が破れたときの対策案であるに過ぎず、当初の手掛け穴自体を破れにくくするものではない。
【０００６】
(2) 当初の手掛け穴が包装箱の大きな持上げ荷重に対応する大きな力を受けて破れたとき、その荷重の過大さによっては、その破れ目の伸展を第２切込み線の存在によって必ずしも止めることはできない。
【０００７】
(3)ラップラウンド式段ボール箱において、段ボール紙の使用量を減らすため、左右の側板に連設されている左右のフラップ状側板と、天面板と底板のそれぞれに連設されている上下のフラップ状側板の各フラップ長さを短くし、上下のフラップ状側板の中央部の裏側に左右のフラップ状側板の重なりがなくなり、１枚の上フラップ状側板にのみ手掛け穴形成部が設けられるときには、手掛け穴の破れ易さが顕著になる。
【０００８】
手掛け穴が破れた包装箱にあっては、使用者が手掛け穴に挿入した手指で包装箱を安定的に持ち上げて運ぶことができないし、包装箱が外観不良になり、その収納物品の商品価値も損なう。
【０００９】
(4)使用者が手掛け穴に手指を挿入し、該手掛け穴の上端で、折曲げ予定線の折曲げ部に対応して形成される手掛け部にその手指を掛けて包装箱を持上げ、運ぶとき、手指に当たる手掛け部が小曲率半径の折曲げ部からなるため、持上げに必要な力に起因する痛みを手指に与え易い。
【００１０】
本発明の課題は、包装箱において、破れにくく、手指に与える痛みを軽減できる手掛け穴を形成することにある。
【課題を解決するための手段】
【００１１】
請求項１に係る発明は、少なくとも一対の互いに対向する側板と、それらの側板の各上端に交差する天面板とを有し、それらの側板に手掛け穴形成部が設けられている包装箱であって、手掛け穴形成部が、手掛け片として用いることが予定される手掛け片予定部の左右両側にて、左右のサポート片のそれぞれを囲み形成する左右両側の切目線と、左右両側の切目線の天面板から遠い側の端部同士をつなぎ、手掛け片予定部の外縁部を形成する中央切離可能部とを有し、左右両側の切目線の天面板に近い側の端部の間が折曲げ可能な中央折曲げ可能部とされ、左側切目線の天面板に近い側の端部と天面板から遠い側の端部との間が折曲げ可能な左側の折曲げ可能部とされ、右側切目線の天面板に近い側の端部と天面板から遠い側の端部との間が折曲げ可能な右側の折曲げ可能部とされており、左右のサポート片のそれぞれが左右両側の折曲げ可能部のそれぞれに沿って折曲げられ、手掛け片予定部が中央折曲げ可能部に沿って折曲げられて手掛け片が形成されたとき、左右のサポート片が側板の内側面に当接可能にされ、左右のサポート片及び手掛け片予定部の折曲げによって形成された空所が手掛け穴とされるようにしたものである。
【発明の効果】
【００１２】
本発明によれば、包装箱において、破れにくく、手指に与える痛みを軽減できる手掛け穴を形成することができる。
【図面の簡単な説明】
【００１３】
【図１】図１は手掛け穴形成部を設けたラップラウンド式段ボール箱からなる包装箱を示し、（Ａ）は手掛け穴形成部が折曲げ前段階にある状態を示す斜視図、（Ｂ）は手掛け穴形成部が折曲げ後段階にある状態を示す斜視図である。
【図２】図２はラップラウンド式段ボール箱からなる包装箱の開封状態を示す斜視図である。
【図３】図３はラップラウンド式段ボール箱のブランクを示す展開図である
【図４】図４は手掛け穴形成部を示し、（Ａ）は折曲げ前段階を示す模式図、（Ｂ）は折曲げ後段階を示す模式図、（Ｃ）は手掛け使用段階を示す模式図である。
【図５】図５は手掛け穴形成部の変形例を示し、（Ａ）は折曲げ前段階を示す模式図、（Ｂ）は折曲げ後段階を示す模式図である。
【図６】図６は手掛け穴形成部を設けたＡ−１式段ボール箱からなる包装箱を示し、（Ａ）は手掛け穴形成部が折曲げ前段階にある状態を示す斜視図、（Ｂ）は手掛け穴形成部が折曲げ後段階にある状態を示す斜視図である。
【図７】図７はＡ−１式段ボール箱からなる包装箱の開封状態を示す斜視図である。
【図８】図８はＡ−１式段ボール箱のブランクを示す展開図である
【発明を実施するための形態】
【００１４】
図１、図２は、手掛け穴形成部１００が適用された包装箱１０を示し、包装箱１０は多数のペットボトル等の物品を包装して保管及び運搬する等に使用される。尚、本明細書では、組立てられた包装箱１０において、底板１２の側を「下」、天面板１４の側を「上」、一方の側板１１の側を「左」、他方の側板１３の側を「右」というものとする。
【００１５】
図１、図２に示した包装箱１０は、ラップラウンド式段ボール箱からなるものであり、図３に示す如くのブランクから製作される。
【００１６】
包装箱１０の図３に示したブランクは、一方の側板１１、底板１２、他方の側板１３、天面板１４が順に連設され、側板１１の外側には糊代片１５が連設されて構成される。各側板１１、１３の両端には左右のフラップ状側板１６、１６が連設され、天面板１４の両端には上部フラップ状側板１７が連設され、底板１２の両端には下部フラップ状側板１８が連設されている。
【００１７】
尚、本実施例の包装箱１０では、左右のフラップ状側板１６、１６と、上下のフラップ状側板１７、１８の各フラップ長さが短くされていて、上下のフラップ状側板１７、１８の中央部の裏側に左右のフラップ状側板１６、１６の重なりがない。
【００１８】
上記ブランクを組立てて、ペットボトル等の物品を包装するときには、底板１２に物品を載せ、側板１１、１３、天面板１４を折曲げて物品を包み込み、天面板１４の側縁部内側面を糊代片１５に貼り合わせ、左右のフラップ状側板１６を各側板１１、１３に対して折曲げるとともに、上下のフラップ状側板１７、１８を天面板１４、底板１２に対して折曲げ、上下のフラップ状側板１７、１８の内側面を左右のフラップ状側板１６、１６に貼り合わせることにより、中身入りの包装箱１０が組立てられて完成する。
【００１９】
即ち、包装箱１０は、一対の互いに対向する上部フラップ状側板１７、１７と、それらの上部フラップ状側板１７、１７の各上端に交差する天面板１４とを有する。そして、それらの一対の各上部フラップ状側板１７における天面板１４との境界線（天面板１４と上部フラップ状側板１７との折曲げ線）Ｒ（図４（Ｃ））の下部に、使用者のために一対の手掛け穴Ｈを形成するための一対の手掛け穴形成部１００が設けられている（図４）。尚、図４（Ａ）乃至（Ｃ）は、上部フラップ状側板１７を包装箱１０の内部から視た状態を示している。
【００２０】
手掛け穴形成部１００は、図４（Ａ）に示す如く、上部フラップ状側板１７（以下、単に側板という）の板面内に、手掛け片１１０として用いることが予定される手掛け片予定部１１１と、左右のサポート片１２０、１２０を形成可能するため、左右両側の切目線１０１Ｌ、１０１Ｒと、中央切離可能部１０２と、中央折曲げ可能部１０３と、左右両側の折曲げ可能部１０４Ｌ、１０４Ｒを設けている。
【００２１】
本実施例では、手掛け片予定部１１１は中央切離可能部１０２と中央折曲げ可能部１０３と左右両側の折曲げ可能部１０４Ｌ、１０４Ｒにより囲まれる矩形状をなすものとされ、各サポート片１２０は左右両側の各切目線１０１Ｌ、１０１Ｒと左右両側の各折曲げ可能部１０４Ｌ、１０４Ｒによって囲まれる舌片状をなすものとされている。
【００２２】
左右両側の切目線１０１Ｌ、１０１Ｒのそれぞれは、手掛け片予定部１１１の左右両側に設けられる左右両側の折曲げ可能部１０４Ｌ、１０４Ｒのそれぞれと共に、左右のサポート片１２０、１２０のそれぞれを囲み形成する。本実施例において、各切目線１０１Ｌ、１０１Ｒは、天面板１４に直交する上下方向に延在される各折曲げ可能部１０４Ｌ、１０４Ｒの上下の両端部に直交するように接続される２本の直線部ａ、ａと、それらの直線部ａ、ａをつなぐ円弧状曲線部ｂとからなり、舌片状のサポート片１２０を形成する。
【００２３】
ここで、各切目線１０１Ｌ、１０１Ｒは、それら全長に渡って側板１７の板厚を貫通する切断線にて構成されている。但し、それらの切目線１０１Ｌ、１０１Ｒは、使用者の押込み力を各サポート片１２０に受ける等によって切断できるものであれば良く、それらの長さ方向で間欠的に側板１７の板厚を貫通するミシン目線であっても良いし、板厚を貫通することのない半切り線等であっても良い。
【００２４】
中央切離可能部１０２は、左右両側の切目線１０１Ｌ、１０１Ｒの天面板１４から遠い側の端部Ｐ1、Ｐ1同士をつなぎ、手掛け片予定部１１１の外縁部ｃを形成する。本実施例において、中央切離可能部１０２は天面板１４に対して平行となる直線状をなす。
【００２５】
ここで、中央切離可能部１０２は、その全長に渡って側板１７の板厚を貫通する切断線にて構成されている。但し、中央切離可能部１０２は、使用者の押込み力を手掛け片予定部１１１に受ける等によって切断できるものであれば良く、その長さ方向で間欠的に側板１７の板厚を貫通するミシン目線（後述する図５の例）であっても良いし、板厚を貫通することのない半切り線等であっても良い。
【００２６】
中央折曲げ可能部１０３は、左右両側の切目線１０１Ｌ、１０１Ｒの天面板１４に近い側の端部Ｐ2、Ｐ2の間に形成され、折曲げ可能とされる。本実施例において、中央折曲げ可能部１０３は天面板１４に対して平行な直線状をなす。
【００２７】
ここで、中央折曲げ可能部１０３は、直線状のプレスを掛けられて折曲げ容易とされた罫線、又はミシン目線等からなる折曲げ予定線Ｊを付与されて形成されている。但し、中央折曲げ可能部１０３は、折曲げ可能なものであれば良く、側板１７の部位に比して折曲げ容易とされるような予備加工を予め付与されることを必須としない。
【００２８】
左側の折曲げ可能部１０４Ｌは、左側切目線１０１Ｌの天面板１４から遠い側の端部Ｐ1と、天面板１４に近い側の端部Ｐ2との間に形成され、折曲げ可能とされる。また、右側の折曲げ可能部１０４Ｒは、右側切目線１０１Ｒの天面板１４から遠い側の端部Ｐ1と、天面板１４に近い側の端部Ｐ2との間に形成され、折曲げ可能とされる。本実施例において、左右両側の折曲げ可能部１０４Ｌ、１０４Ｒは天面板１４に対して直交する直線状をなす。
【００２９】
ここで、左右両側の折曲げ可能部１０４Ｌ、１０４Ｒは、直線状のプレスを掛けられて折曲げ容易とされた罫線、又はミシン目線等からなる折曲げ予定線Ｋ、Ｌを付与されて形成されている。但し、左右両側の折曲げ可能部１０４Ｌ、１０４Ｒは、折曲げ可能なものであれば良く、側板１７の他の部位に比して折曲げ容易とされるような予備加工を予め付与されることを必須としない。
【００３０】
手掛け穴形成部１００において、左右のサポート片１２０、１２０を構成する段ボール紙の段目Ｆは、それらのサポート片１２０が左右両側の折曲げ可能部１０４Ｌ、１０４Ｒに沿って折曲げられ、手掛け片予定部１１１が中央折曲げ可能部１０３に沿って折曲げられる前段階（図４（Ａ））で、天面板１４の板面に沿う方向に設定されている。これにより、左右のサポート片１２０、１２０が折返されて側板１７の内側面に当接するに至ったとき（図４（Ｂ））、その段目Ｆが天面板１４の板面に直交する方向に設定されるものになる。
【００３１】
尚、段目とは、段ボール紙を構成する波板状の中芯の山部又は谷部に沿った向きを指し、ラップラウンド式段ボール箱の側板１７における段目Ｆの方向は一般的に天面板１４の板面に沿う方向に略一致している。
【００３２】
手掛け穴形成部１００にあっては、図４に示す如く、手掛け穴Ｈの天面板１４に沿う長さＸ及び天面板１４に直交する長さＹが、該手掛け穴Ｈに挿入される手指の大きさを考慮して設定される。また、手掛け片１１０（手掛け片予定部１１１)の天面板１４に沿う長さＷを大きめに設定することにより、手指を手掛け片１１０に掛けることによる包装箱１０の持上げ作業性を安定化できる。
【００３３】
以下、包装箱１０における手掛け穴形成部１００の使用手順について説明する。
図１（Ａ）に示した包装箱１０における一対の側板１７、１７のそれぞれに設けた手掛け穴形成部１００のそれぞれにおいて、使用者により、図１（ｂ）、図２、図４（Ｂ）に示す如く、左右のサポート片１２０、１２０のそれぞれが左右両側の折曲げ可能部１０４Ｌ、１０４Ｒのそれぞれに沿って折曲げられ、更に、手掛け片予定部１１１が中央折曲げ可能部１０３に沿って折曲げられて手掛け片１１０が形成されたき、左右のサポート片１２０は側板１７の内側面に当接して支持され、左右のサポート片１２０及び手掛け片予定部１１１の折曲げによって側板１７の板面内に形成される長孔状の空所が手掛け穴Ｈとされる。
【００３４】
このとき、側板１７の内側面に当接して支持される左右のサポート片１２０、１２０は、更に、天面板１４の内側面にも当接して支持され得る。
【００３５】
使用者は、包装箱１０における一対の側板１７のそれぞれに形成された手掛け穴Ｈに左右の手指を挿入し、図４（Ｃ）に示す如く、その手指を手掛け片１１０に掛ける状態で、物品を包装した包装箱１０を持上げ、運ぶことができる。
【００３６】
しかるに、本実施例の手掛け穴形成部１００が設けられた包装箱１０によれば以下の作用効果を奏する。
【００３７】
(a) 手掛け穴形成部１００において、左右のサポート片１２０、１２０のそれぞれが左右両側の折曲げ可能部１０４Ｌ、１０４Ｒのそれぞれに沿って折曲げられ、手掛け片予定部１１１が中央折曲げ可能部１０３に沿って折曲げられて手掛け片１１０が形成されたとき、左右のサポート片１２０、１２０が側板１７の内側面に当接可能にされ、左右のサポート片１２０、１２０及び手掛け片予定部１１１の折曲げによって形成された空所が手掛け穴Ｈとされる。これにより、手掛け穴Ｈに挿入した手指を手掛け片１１０に掛けて包装箱１０を持上げ、運ぶとき、手指に掛かって持上げに供される力は、手掛け片１１０から、側板１７の内側面に当接して突張り状となる左右のサポート片１２０、１２０を介して側板１７の内側面に伝えられて支持される。従って、包装箱１０の持上げに供される力が、手掛け片１１０と側板１７との折曲げ部（中央折曲げ可能部１０３の折曲げ部）に集中して作用することがなく、当該折曲げ部の両端への上記力の作用を低減し、当該折曲げ部の両端から生ずるかもしれない側板１７の破れを抑制するものになる。
【００３８】
このとき、左右のサポート片１２０、１２０において側板１７の内側面に当接する当接部１２１（左右両側の切目線１０１Ｌ、１０１Ｒの天面板１４に近い側の直線部ａに対応する部分）の長さを大きく設定することにより、上記力を側板１７の内側面の広い範囲に伝えるものとし、上記力を側板１７の内側面に安定的に伝えて安定的に支持できる。
【００３９】
(b)手指を手掛け片１１０に掛けて包装箱１０を持上げ、運ぶとき、手指に当たる手掛け片１１０が中央切離可能部１０２と中央折曲げ可能部１０３と左右両側の折曲げ可能部１０４Ｌ、１０４Ｒによって囲まれる広い面を呈していて、持上げに供される力が手指に与える痛みを軽減できる。
【００４０】
(c)使用者は、左右両側の切目線に囲まれている左右のサポート片１２０、１２０を、包装箱１０の内部に向けて押込みつつ指でつまむことにて左右両側の折曲げ可能部１０４Ｌ、１０４Ｒに沿って折曲げる。続いて、これらのサポート片１２０、１２０を包装箱１０の内部にて天面板１４の側に持上げることにより、手掛け片予定部１１１の外縁部ｃの中央切離可能部１０２を切離し、該手掛け片予定部１１１を中央折曲げ可能部１０３に沿って折曲げて手掛け片１１０を形成できる。即ち、使用者の簡易な操作により、上述(a)、(b)の手掛け片１１０を容易に形成し、手掛け穴Ｈを容易に形成できる。
【００４１】
(d)手掛け穴Ｈに挿入した手指に掛かって包装箱１０の持上げに供される力が、手掛け片１１０から、側板１７の内側面だけでなく、天面板１４の内側面にも当接して突張り状となる左右のサポート片１２０、１２０を介して、側板１７及び天面板１４の双方の内側面の側に伝えられて支持され得る。従って、包装箱１０の持上げに供される力が、手掛け片１１０と側板１７との折曲げ部（中央折曲げ可能部１０３の折曲げ部）に集中して作用することがなく、当該折曲げ部の両端への上記力の作用を低減し、当該折曲げ部の両端から生ずるかもしれない側板１７の破れを一層確実に抑制するものになる。
【００４２】
このとき、左右のサポート片１２０、１２０において側板１７の内側面に当接する当接部１２１の長さと、天面板１４の内側面に当接する当接部１２２（左右両側の切目線１０１Ｌ、１０１Ｒの円弧状曲線部ｂに対応する部分）の長さを、共に大きく設定することにより、上記力を側板１７と天面板１４の双方の内側面の広い範囲に伝えるものとし、上記力を側板１７及び天面板１４の双方の内側面の側に安定的に伝えて一層安定的に支持できる。
【００４３】
(e)手掛け穴形成部１００では、左右両側の切目線をミシン目線からなるものすることができる。これによれば、左右のサポート片１２０、１２０を包装箱１０の内部に向けて押込む押込み力によって、左右両側のミシン目線からなる切目線を簡易に切断し、それらのサポート片１２０、１２０を包装箱１０の内部へ押込むことができる。
【００４４】
(f)手掛け穴形成部１００では、図５に示す如く、中央切離可能部１０２をミシン目線からなるものとすることができる。これによれば、左右のサポート片１２０、１２０を包装箱１０の内部に向けて押込みつつ指でつまんで、包装箱１０の内部にて持上げることにより、ミシン目線からなる中央切離可能部を簡易に切離し、手掛け片予定部１１１を中央折曲げ可能部１０３に沿って折曲げることにより手掛け片１１０を形成できる。
【００４５】
また、中央切離可能部１０２をミシン目線からなるものとしたときには、前述(c)で、使用者により左右のサポート片１２０、１２０を指でつまみ、左右両側の折曲げ可能部１０４Ｌ、１０４Ｒに沿って折曲げることの作業性を向上できる。
【００４６】
(g)手掛け穴形成部１００において、左右のサポート片１２０、１２０を構成する段ボール紙の段目Ｆが、天面板１４の板面に沿う方向に設定されている。これにより、左右のサポート片１２０、１２０は、折曲げられて側板１７の内側面、更には天面板１４の内側面に当接するに至ったとき、その段目Ｆが天面板１４の板面に直交する方向に設定されるものになる。従って、左右のサポート片１２０、１２０は、手掛け片１１０に作用する前述(a)の力をその段目Ｆに沿う方向で側板１７、更には天面板１４に安定的に伝えて座屈し難くなり、手掛け片１１０に作用する力を側板１７、更には天面板１４に確実に伝えて支持することができる。
【００４７】
図６、図７に示した包装箱２０は、Ａ−１式段ボール箱に手掛け穴形成部１００を適用したものである。
【００４８】
包装箱２０のブランクは、図８に示す如く、４個の側板２１乃至２４を順に連設され、各側板２１乃至２４の上端に天面板２５が連設され、各側板２１乃至２４の下端に底板２６が連設され、側板２４の外縁に糊代片２７が連設されて構成される。尚、側板２１、２３は側板２２、２４よりも短辺とされている。
【００４９】
上記ブランクから包装箱２０を組立てるときには、各側板２１乃至２４に対して各底板２６を折曲げるとともに、各側板２１乃至２４同士を折曲げ、各底板２６同士を貼り合せ、側板２１の内側面を糊代片２７に貼り合せることで、上部が開放された包装箱２０が得られる。次に、包装箱２０の内部にペットボトル等の物品を収納した後、各側板２１乃至２４に対して各天面板２５を折曲げ、各天面板２５同士を貼り合せることにより、中身入りの包装箱２０が組立てられて完成する。
【００５０】
即ち、包装箱２０は、一対の互いに対向する側板２１、２３と、それらの側板２１、２３の各上端に交差する天面板２５とを有する。そして、それらの一対の各側板２１、２３における天面板２５との境界線（側板２１、２３と天面板２５との折曲げ線）Ｒの下部に手掛け穴形成部１００が設けられ、使用者のための一対の手掛け穴Ｈを形成可能にする。
【００５１】
尚、包装箱２０はＡ−１式段ボール箱からなるため、手掛け穴形成部１００が設けられる側板２１、２３における段目Ｆの方向が一般的に天面板２５の板面に直交する方向に略一致するものになっている。
【００５２】
従って、手掛け穴形成部１００が設けられた包装箱２０にあっても、包装箱１０において前述した(a)乃至(f)と同様の作用効果を奏する。
尚、手掛け穴形成部１００は、包装箱２０の側板２２、２４に設けることもできる。
【００５３】
尚、包装箱の素材は段ボール紙に限らず、ボール紙、プラスチック段ボール等であっても良い。
【産業上の利用可能性】
【００５４】
本発明によれば、包装箱において、破れにくく、手指に与える痛みを軽減できる手掛け穴を形成することができる。
【符号の説明】
【００５５】
１０、２０  包装箱
１４  天面板
１７  上部フラップ状側板（側板）
２１、２２、２３、２４  側板
２５  天面板
１００  手掛け穴形成部
１０１Ｌ、１０１Ｒ  左右両側の切目線
１０２  中央切離可能部
１０３  中央折曲げ可能部
１０４Ｌ、１０４Ｒ  左右両側の折曲げ可能部
１１０  手掛け片
１１１  手掛け片予定部
１２０  左右のサポート片
Ｆ  段目
【図１】
2019116285.tif 000003
【図２】
2019116285.tif 000004
【図３】
2019116285.tif 000005
【図４】
2019116285.tif 000006
【図５】
2019116285.tif 000007
【図６】
2019116285.tif 000008
【図７】
2019116285.tif 000009
【図８】
2019116285.tif 000010